(57)【要約】【課題】遊技経験の少ない遊技者であっても、興味を失わせず、雀球遊技を楽しませることが可能な雀球遊技機を提供する。【解決手段】雀球遊技機には、ビッグ役を選定する特別役選定プログラムＰ６と、手牌図柄がビッグ役を成立させたことを判定する特別継続役成立判定プログラムＰ８２と、ビッグ役の成立を判定した際に、特別遊技制御プログラムＰ１０による特別遊技を次ゲーム以降の例えば１３ゲームの間継続させる特別遊技継続制御プログラムＰ１１とが備えられている。この雀球遊技機に、連続した所定ゲーム数の間における上がり役の成立状態に基づく救済条件が成立したことを判定する救済条件判定プログラムＰ１４と、救済条件の成立が判定された際に、特別役選定プログラムＰ６に、ビッグ役が容易に成立するように制御する救済制御プログラムＰ１５とを備える。【選択図】図６
2007117104.tif 000002
【特許請求の範囲】
【請求項１】
１ゲームあたりに第１所定数の遊技球を打出し操作し得る打出操作手段と、複数の牌種からなる麻雀牌の図柄に対応させて遊技盤面部内に設けられた複数の入球口と、各入球口への入球により得られた麻雀牌図柄を自摸牌とした手牌図柄を表示する手牌表示手段と、前記手牌図柄に関する遊技を操作し得る手牌操作手段と、を備え、前記手牌図柄の組合せを多数の上がり役のうちの少なくとも１つを成立させるように遊技し得る雀球遊技機において、
前記多数の上がり役の中から複数の特別役と、前記複数の特別役の中から特別継続役と、を選定する特別役選定手段と、
前記手牌図柄が前記特別役を成立させたことを判定する特別役成立判定手段と、
前記手牌図柄が前記特別継続役を成立させたことを判定する特別継続役成立判定手段と、
前記特別役成立判定手段が前記特別役の成立を判定した際に、当該ゲームにおいて特別入賞口の開放制御を行い、遊技球が該特別入賞口に入賞したことに基づき第２所定数以内の自由選択自摸を可能にする特別遊技を開始制御する特別遊技制御手段と、
前記特別継続役成立判定手段が前記特別継続役の成立を判定した際に、前記特別遊技制御手段による前記特別遊技を次ゲーム以降の特定ゲーム数の間継続させる特別遊技継続制御手段と、
連続した設定ゲーム数の間における前記上がり役の成立状態に基づく救済条件が成立したことを判定する救済条件判定手段と、
前記救済条件判定手段により前記救済条件の成立が判定された際に、前記特別継続役が容易に成立するように制御する救済制御手段と、を備えた、
ことを特徴とする雀球遊技機。
【請求項２】
前記救済制御手段は、前記救済条件判定手段により前記救済条件の成立が判定された際に、前記特別役選定手段に、前記特別継続役として容易に成立する上がり役を選定するように指令する救済時特別役選定指令手段を有する、
ことを特徴とする請求項１記載の雀球遊技機。
【請求項３】
前記１ゲームの開始時に、前記手牌図柄を自動的に選定して配牌とする自動配牌手段を備え、
前記救済制御手段は、前記救済条件判定手段により前記救済条件の成立が判定された際に、前記自動配牌手段に、前記特別継続役が容易に成立する配牌を選定するように指令する救済時配牌指令手段を有する、
ことを特徴とする請求項１又は２記載の雀球遊技機。
【請求項４】
前記救済条件判定手段は、前記連続した設定ゲーム数の間、前記特別継続役が非成立であったことを前記救済条件の成立として判定する、
ことを特徴とする請求項１ないし３のいずれか記載の雀球遊技機。
【請求項５】
前記救済条件判定手段は、前記連続した設定ゲーム数の間、前記上がり役が非成立であったことを前記救済条件の成立として判定する、
ことを特徴とする請求項１ないし３のいずれか記載の雀球遊技機。
【請求項６】
各ゲームの終了時に、前記上がり役の成立状態に基づき当該ゲームの得点を演算する得点演算手段を備え、
前記救済条件判定手段は、前記連続した設定ゲーム数の間、前記各ゲームの得点が所定点数以下であったことを前記救済条件の成立として判定する、
ことを特徴とする請求項１ないし３のいずれか記載の雀球遊技機。
【請求項７】
前記救済条件判定手段は、前記特別継続役の成立に基づく前記特別遊技が終了した際に、前記設定ゲーム数のゲーム数を再設定する設定ゲーム数再設定手段を有する、
ことを特徴とする請求項１ないし６のいずれか記載の雀球遊技機。
【発明の詳細な説明】
【技術分野】
【０００１】
本発明は、雀球遊技機に係り、特に特別役が成立した際に特別遊技が開始され、特別継続役が成立した際に特別遊技が特定ゲーム数の間継続する雀球遊技機に関する。
【背景技術】
【０００２】
従来、各種遊技部品が配置された遊技盤の下部に、麻雀牌の図柄を付した所定数の入球口を備え、メダル投入口に遊技メダル（以下、単に「メダル」とも言う）が投入された後、例えば１ゲームあたり１４個の遊技球が遊技盤上に打ち出されて各遊技球が何れかの入球口に入球した際、当該入球口に対応する麻雀牌の図柄が、上記遊技盤上に配置された表示装置に表示されるように機能する雀球遊技機が存在する。また近年では、メダル投入口に投入された遊技メダルを検知スイッチに基づいて検出した時点で、麻雀牌の図柄を表示装置に適宜の組合せで自動的に表示（つまり自動配牌）する機能を備えた雀球遊技機も知られている。
【０００３】
上記雀球遊技機では、表示装置に表示される手牌のうちから操作スイッチを操作して不要な牌が捨て牌された際、１個の遊技球を再度打ち出しし得る状態となり、これら捨て牌操作及び再打ち出し操作が所定回数以内にて繰り返し行われ、所定の上がり役が完成した時点で得点が計算され、その得点に応じた数の遊技メダルが払い出される。
【０００４】
ところで、上記のような雀球遊技機において、特別遊技（ボーナスゲーム）としてチャンスゲームとビッグゲームの２種が設けられたものが知られている（特許文献１参照）。チャンスゲームとは、例えばゲーム開始時に選定された特別役（チャンス役）で和了した場合、当該ゲームにおいて、遊技盤面上のアタッカー作動口が有効となり、遊技球がアタッカー作動口を通過した場合、アタッカーが開口して所定数個（例えば５個）の入球が可能となり、その際、アタッカーに遊技球が入球する都度に、遊技者は牌選択ボタンの操作等により、例えば所望の牌を自摸牌として選択できるようになる。これによって、遊技者は、より得点の高い役を狙うことが可能となって、遊技メダルを多く獲得することが可能となる。
【０００５】
また、ビックゲームとは、例えばゲーム開始時に選定された特別役の中の１つの特別継続役（ビッグ役）で和了した場合、上記当該ゲームのチャンスゲームの状態に引き続き、次回以降の複数回数（例えば１４回）のゲームについても、継続してチャンスゲームと同じ状態となるゲームである。これにより遊技者は、連続して高得点を狙うことが可能となって、遊技メダルの大量獲得が可能となる。
【０００６】
【特許文献１】特開平７−２５０９３８号公報
【発明の開示】
【発明が解決しようとする課題】
【０００７】
ところで、雀球遊技機の遊技においては、手牌として入手（自摸）したい麻雀牌の図柄に対応した入球口を狙うため、遊技球の打ち出し強さを細やかに調整したり、一般的な麻雀遊技のように狙う上がり役を完成するために捨て牌を選択したりする必要があり、更に例えば遊技盤面上の釘配置等に起因する狙い易い入球口と狙い難い入球口とが存在する等、雀球遊技機ならではの遊技性も加わって、遊技者の遊技経験によって得点（遊技メダル）の獲得結果に大きな影響が生じてしまう。
【０００８】
そのため、特に遊技経験の少ない遊技者は、遊技メダルの獲得が少なくなる傾向があると共に、遊技経験を増すために必要な遊技メダルが多く必要となるという悪循環になる虞があり、雀球遊技を楽しめるようになるまで経験を増す前に、興味を失ってしまう虞があった。
【０００９】
そこで本発明は、特に遊技経験の少ない遊技者であっても、興味を失わせず、雀球遊技を楽しませることが可能な雀球遊技機を提供することを目的とするものである。
【課題を解決するための手段】
【００１０】
請求項１に係る本発明は（例えば図１乃至図１０参照）、１ゲームあたりに第１所定数の遊技球（Ｂａ）を打出し操作し得る打出操作手段（４）と、複数の牌種からなる麻雀牌の図柄に対応させて遊技盤面部（２）内に設けられた複数の入球口（１１）と、各入球口（１１）への入球により得られた麻雀牌図柄を自摸牌とした手牌図柄を表示する手牌表示手段（１４）と、前記手牌図柄に関する遊技を操作し得る手牌操作手段（例えば１６，１７，１８，１９，２０，２１，２２，２３，２４，２５）と、を備え、前記手牌図柄の組合せを多数の上がり役のうちの少なくとも１つを成立させるように遊技し得る雀球遊技機（１）において、
前記多数の上がり役の中から複数の特別役（５０）と、前記複数の特別役（５０）の中から特別継続役（５１）と、を選定する特別役選定手段（Ｐ６）と、
前記手牌図柄が前記特別役（５０）を成立させたことを判定する特別役成立判定手段（Ｐ８１）と、
前記手牌図柄が前記特別継続役（５１）を成立させたことを判定する特別継続役成立判定手段（Ｐ８２）と、
前記特別役成立判定手段（Ｐ８１）が前記特別役の成立を判定した際に、当該ゲームにおいて特別入賞口（９）の開放制御を行い、遊技球（Ｂａ）が該特別入賞口（９）に入賞したことに基づき第２所定数以内の自由選択自摸を可能にする特別遊技を開始制御する特別遊技制御手段（Ｐ１０）と、
前記特別継続役成立判定手段（Ｐ８２）が前記特別継続役（５１）の成立を判定した際に、前記特別遊技制御手段（Ｐ１０）による前記特別遊技を次ゲーム以降の特定ゲーム数の間継続させる特別遊技継続制御手段（Ｐ１１）と、
連続した設定ゲーム数の間における前記上がり役の成立状態に基づく救済条件が成立したことを判定する救済条件判定手段（Ｐ１４）と、
前記救済条件判定手段（Ｐ１４）により前記救済条件の成立が判定された際に、前記特別継続役（５１）が容易に成立するように制御する救済制御手段（Ｐ１５）と、を備えた、
ことを特徴とする雀球遊技機（１）にある。
【００１１】
請求項２に係る本発明は（例えば図６、及び図１０参照）、前記救済制御手段（Ｐ１５）は、前記救済条件判定手段（Ｐ１４）により前記救済条件の成立が判定された際に、前記特別役選定手段（Ｐ６）に、前記特別継続役（５１）として容易に成立する上がり役（例えばＴｂ７）を選定するように指令する救済時特別役選定指令手段（Ｐ１５１）を有する、
ことを特徴とする請求項１記載の雀球遊技機（１）にある。
【００１２】
請求項３に係る本発明は（例えば図６参照）、前記１ゲームの開始時に、前記手牌図柄を自動的に選定して配牌とする自動配牌手段（Ｐ５）を備え、
前記救済制御手段（Ｐ１５）は、前記救済条件判定手段（Ｐ１４）により前記救済条件の成立が判定された際に、前記自動配牌手段（Ｐ５）に、前記特別継続役（５１）が容易に成立する配牌を選定するように指令する救済時配牌指令手段（Ｐ１５２）を有する、
ことを特徴とする請求項１又は２記載の雀球遊技機（１）にある。
【００１３】
請求項４に係る本発明は（例えば図６参照）、前記救済条件判定手段（Ｐ１４）は、前記連続した設定ゲーム数の間、前記特別継続役（５１）が非成立であったことを前記救済条件の成立として判定する、
ことを特徴とする請求項１ないし３のいずれか記載の雀球遊技機（１）にある。
【００１４】
請求項５に係る本発明は（例えば図６参照）、前記救済条件判定手段（Ｐ１４）は、前記連続した設定ゲーム数の間、前記上がり役（例えば表２参照）が非成立であったことを前記救済条件の成立として判定する、
ことを特徴とする請求項１ないし３のいずれか記載の雀球遊技機（１）にある。
【００１５】
請求項６に係る本発明は（例えば図６参照）、各ゲームの終了時に、前記上がり役（例えば表２参照）の成立状態に基づき当該ゲームの得点を演算する得点演算手段（Ｐ８）を備え、
前記救済条件判定手段（Ｐ１４）は、前記連続した設定ゲーム数の間、前記各ゲームの得点が所定点数（例えば３点）以下であったことを前記救済条件の成立として判定する、
ことを特徴とする請求項１ないし３のいずれか記載の雀球遊技機（１）にある。
【００１６】
請求項７に係る本発明は（例えば図６参照）、前記救済条件判定手段（Ｐ１４）は、前記特別継続役（５１）の成立に基づく前記特別遊技が終了した際に、前記設定ゲーム数のゲーム数を再設定する設定ゲーム数再設定手段（Ｐ１４２）を有する、
ことを特徴とする請求項１ないし６のいずれか記載の雀球遊技機（１）にある。
【００１７】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１８】
請求項１に係る本発明によると、救済条件判定手段が、連続した設定ゲーム数の間における上がり役の成立状態に基づく救済条件が成立したことを判定し、救済制御手段が、救済条件判定手段により救済条件の成立が判定された際に、特別継続役が容易に成立するように制御するので、救済条件が成立した際に、特別継続役を容易に成立させることができ、特に遊技経験の少ない遊技者であっても、救済的に遊技メダルの獲得が可能となって、獲得した遊技メダルにより遊技経験を増すことができると共に遊技経験が少ないうちに興味を失ってしまうことの防止を図ることができる。
【００１９】
請求項２に係る本発明によると、救済時特別役選定指令手段が、救済条件判定手段により救済条件の成立が判定された際に、特別役選定手段に、特別役継続役として容易に成立する上がり役を選定するように指令するので、救済条件が成立した際に、特別継続役を容易に成立させることを可能にすることができる。
【００２０】
請求項３に係る本発明によると、救済時配牌指令手段が、救済条件判定手段により救済条件の成立が判定された際に、自動配牌手段に、特別役継続役が容易に成立する配牌を選定するように指令するので、救済条件が成立した際に、特別継続役を容易に成立させることを可能にすることができる。
【００２１】
請求項４に係る本発明によると、連続した設定ゲーム数の間、特別継続役が非成立であると、救済条件が成立して特別継続役を容易に成立させることが可能となる。これにより、設定ゲーム数の間に特別遊技を特定ゲーム継続させる権利が得られずに費やした遊技メダルを、救済的にある程度補うことが可能となり、獲得した遊技メダルにより遊技経験を増すことができると共に遊技経験が少ないうちに興味を失ってしまうことの防止を図ることができる。
【００２２】
請求項５に係る本発明によると、連続した設定ゲーム数の間、上がり役が非成立であると、救済条件が成立して特別継続役を容易に成立させることが可能となる。これにより、何ら遊技メダルを得ることのできない設定ゲーム数の間に費やした遊技メダルを、救済的にある程度補うことが可能となり、獲得した遊技メダルにより遊技経験を増すことができると共に遊技経験が少ないうちに興味を失ってしまうことの防止を図ることができる。
【００２３】
請求項６に係る本発明によると、連続した設定ゲーム数の間、各ゲームの得点が所定点数以下であると、救済条件が成立して特別継続役を容易に成立させることが可能となる。これにより、遊技メダルを僅かしか得ることのできない設定ゲーム数の間に費やした遊技メダルを、救済的にある程度補うことが可能となり、獲得した遊技メダルにより遊技経験を増すことができると共に遊技経験が少ないうちに興味を失ってしまうことの防止を図ることができる。
【００２４】
請求項７に係る本発明によると、設定ゲーム数再設定手段が、特別継続役の成立に基づく特別遊技が終了した際に、設定ゲーム数のゲーム数を再設定するので、次の救済条件が成立するまでのゲーム数を上記特別遊技の終了毎に変更することが可能となる。これにより、例えば連続的に救済条件が成立するように設定することも可能となり、遊技性の向上を図ることができる。
【発明を実施するための最良の形態】
【００２５】
以下、本発明に係る雀球遊技機の実施の形態として、遊技場等に設置される雀球遊技機について図１ないし図９を参照して説明する。本実施の形態では、２７種の牌の図柄を各４個、計１０８個の牌を使用して遊技を行う雀球遊技機１を例に挙げて説明する。この２７種の牌の図柄は、例えば、萬子が「一萬」〜「九萬」の９種、筒子が「一筒」〜「九筒」の９種、索子が「一索」と「九索」の２種、字牌が「東」「南」「西」「北」「白」「發」「中」の７種である。従って、萬子と筒子が数牌となり、索子の「一索」と「九索」は、順子を形成することができないので字牌に含めている。これにより、本実施形態における牌種とは、上記の「萬子」、「筒子」、「字牌」の３種を示すことになる。
【００２６】
なお、上記した２種の数牌は、例えば、萬子を「一萬」〜「九萬」の９種類の図柄、索子を「一索」〜「九索」の９種類の図柄から構成し、字牌は筒子の「一筒」と「九筒」、及び「東」「南」「西」「北」「白」「發」「中」から構成される麻雀牌の図柄を有する雀球遊技機にすることも可能である。また例えば、索子を「一索」〜「九索」の９種類の図柄、筒子を「一筒」〜「九筒」の９種類の図柄から構成し、字牌は筒子の「一萬」と「九萬」、及び「東」「南」「西」「北」「白」「發」「中」から構成される麻雀牌の図柄を有する雀球遊技機にすることも可能である。
【００２７】
図１は、本実施形態における雀球遊技機１の全体を示す正面図である。同図に示すように、本雀球遊技機１は遊技機本体１ａを備えてなり、該遊技機本体１ａの前面部は、基本的には遊技盤面部（遊技領域）２、操作パネル３、操作パネル３の下方に設けられた遊技球発射レバー４、メダル受け皿５、音声や効果音（以下、一括して音声という）を出力する音声出力装置であるスピーカー６、ランプ装置７等から構成されている。なお、図１に示す符号１ｂは、遊技機本体１ａに対して開閉可能に支持された前扉を示している。
【００２８】
図１及び図２に示すように、ガイドレール８に囲まれた遊技盤面部２の略中央部には、所要の演出表示を行うための液晶表示装置３８が配置されている。液晶表示装置３８の上方には、ドットマトリクス表示器３９（図５参照）及びセグメント表示器（図示せず）を有する表示部３７が配置されており、液晶表示装置３８の左右には、遊技球振り分け装置１２の振り分け部材１２ａ，１２ｂが配設されている。表示部３７は、遊技盤面部２の最上部のガイドレール８の内側との間に、打ち出された遊技球Ｂａをアタッカー９及びアタッカー作動通過口１０に向けて通過させ得る隙間をあけた状態で配置されている。
【００２９】
そして、遊技盤面部２における液晶表示装置３８の右上部には、アタッカー９が配置されており、該アタッカー９の上部には、遊技球Ｂａが通過可能なアタッカー作動通過口１０が配置されている。つまり、アタッカー９及びアタッカー作動通過口１０の双方が遊技盤面部２の左右幅方向の一側（即ち、右側）に片寄った状態で配置され、かつ該アタッカー作動通過口１０がアタッカー９の直上方に位置決めされている。そして、遊技盤面部２には、該遊技盤面部２の左右幅方向の他側（即ち、左側）からガイドレール８に沿って遊技球が打ち出されるように構成されている。上記アタッカー作動通過口１０は、チャンス役やビッグ役の特別役の成立による特別遊技中に入球した遊技球Ｂａの検出が有効になる特別入賞口作動ゲートを構成し、またアタッカー９は、特別遊技中にアタッカー作動通過口１０への入球を契機として開放動作して所定数（本実施形態では５個）の遊技球の入球を可能にする特別入賞口を構成している。
【００３０】
上記液晶表示装置３８は、遊技盤面部２から図１紙面の奥側に後退するように配置されている。また、上記遊技球振り分け装置１２は、雀球遊技機１の電源がオンされた時点から絶えず左右方向に連続的に往復移動する振り分け部材１２ａ，１２ｂの当該移動を妨げないようにするため、該振り分け部材１２ａ，１２ｂ以外の箇所が図１紙面の奥側に後退するように構成されている。これら液晶表示装置３８、及び遊技球振り分け装置１２の振り分け部材１２ａ，１２ｂ以外の箇所の下部には、後述する入球口１１ｃ、１１ｄ、１１ｅ、…の上方に若干の隙間をあけた形で当該入球口１１ｃ、１１ｄ、１１ｅ、…の略全域に亘るように左右方向に延在する遊技球ステージＳが設けられている。これら入球口１１ｃ〜１１ｅ、…と遊技球ステージＳとの間には、入球口１１ｃ〜１１ｅ、…の直ぐ上方にて各入球口の入球幅を規制するための多数の障害釘（図示せず）が打ち込まれている。なお、遊技盤面部２には、風車（図示せず）や上記とは別の障害釘（図示せず）が多数設けられている。
【００３１】
また、液晶表示装置３８と表示部３７との間には入球口１１ｂが配置されており、該入球口１１ｂの左側における振り分け部材１２ａの上部には入球口１１ａが配置されている。上記遊技球ステージＳの下方には、複数個（本実施形態では２５個）の入球口１１ｃ、１１ｄ、１１ｅ、…が配設されている（以下、複数の入球口１１ａ〜１１ｅ、…全体を指して「入球口１１」ともいう）。入球口１１ａ、１１ｂ、１１ｃ、１１ｄ、１１ｅ、…は、二索から八索までの索子牌を除いた牌の図柄２７種（図柄は図示せず）に対応して、２７個が設けられている。入球口１１ａ，１１ｂには夫々「一索」と「九索」が表示されており、また入球口１１ｃには「一萬」、入球口１１ｄには「二萬」、入球口１１ｅには「三萬」というように、所要の麻雀牌図柄が順次表示されている。
【００３２】
操作パネル３には、図３に示すように、液晶表示装置等からなる表示装置１４、メダル投入口１５、及び各種の操作ボタンが設けられている。この各種の操作ボタンは、１３個のボタンが横方向に並設された捨て牌ボタン１６ａ、１６ｂ、…、１６ｍ、自摸牌捨てボタン１７、リーチボタン１８、牌選択右シフトボタン１９、牌選択左シフトボタン２０、自摸牌決定ボタン２１、払い出しボタン２２、遊技終了ボタン２３、遊技開始ボタン２４、リジェクト（ＲＥＪＥＣＴ）ボタン２５から構成されている。なお、遊技者がこれらの各ボタンを操作する（押下してスイッチをオンする）と、例えば、自摸牌決定ボタン２１を操作すると自摸牌決定信号が発生し、この信号がマイクロコンピュータから構成される制御基板に入力される。そして、制御基板に搭載されているソフトウエア（プログラム）は、入力された信号ごとに、ゲームを進行させるために予め設定された処理を実行するようになっている。
【００３３】
表示装置１４には、その表示面に種々の表示部が設定され、遊技者に対してゲームの進行に応じて必要な情報や画像及び演出用画像をこの表示部に表示するようにしている。例えば、図４に示すように、表示面の上部横方向には、遊技メダル貯留枚数表示部２６、残り遊技球数表示部２７、風牌表示部２８、表ドラ表示部２９、裏ドラ表示部３０、上がり牌表示部３１、特別遊技のうち、ビッグゲームの権利を得ることができるビッグ（ゲーム）役を示すビッグゲーム上がり役表示部３２、更に、チャンスゲームの権利を得ることができるチャンス（ゲーム）役を示すチャンスゲーム上がり役表示部３３、捨て牌の図柄を表示する捨て牌表示部３４が設けられ、ゲームの進行に応じて牌の図柄、演出画像、数値等が表示される。
【００３４】
なお、上述した、ビッグゲームの権利を得ることができるビッグ役及びチャンスゲームの権利を得ることができるチャンス役、の双方指して、以下「特別役」と称すると共に、該特別役以外の上がり役を「通常役」と称する。
【００３５】
更に、表示装置１４の表示面の下部横方向には、１３個の手牌の図柄を表示する手牌表示部３５、及び自摸した牌の図柄を表示する自摸牌表示部３６が設けられている。なお、手牌表示部３５及び自摸牌表示部３６に表示している各図柄の下部には、捨て牌ボタン１６ａ、１６ｂ、…、に対応するボタン名（Ａ、Ｂ、Ｃ、Ｄ、Ｅ、・・・）が表示されている。また、表示される麻雀牌の図柄はカラーで表示される。
【００３６】
ついで、本雀球遊技機１の制御系に関して詳細に説明する。即ち、雀球遊技機１の内部の所定位置には、本実施形態の雀球遊技機１の作動を制御するための制御基板が搭載されている。この制御基板は、例えば、図５に示すように、メイン制御基板Ｋａ、サブ制御基板Ｋｂ、画像制御基板Ｋｃ、画像制御基板Ｋｄから構成されている。メイン制御基板Ｋａ、サブ制御基板Ｋｂ、画像制御基板Ｋｃ、画像制御基板Ｋｄは、それぞれＣＰＵ４０、ＲＯＭ４１、ＲＡＭ４２、各種センサや捨て牌ボタン１６ａ等の各種操作ボタン等との信号の入出力を行うための入出力インターフェイス回路４３、及び制御基板Ｋａ、Ｋｂ、Ｋｃ、Ｋｄ間の通信を行うための通信用インターフェイス回路４４、等を備えたマイクロコンピュータから構成されている。なお、メイン制御基板Ｋａの入出力インターフェイス回路４３における「入出力」とは、各種操作ボタン等からの信号を「入力」し、当該入力信号に基づいた信号（コマンド等）を「出力」するという、一方向の信号の流れを意味する。
【００３７】
そして、雀球遊技機１の作動を制御、或いは表示装置１４、液晶表示装置３８及び表示部３７に情報や画像を表示するための各種のソフトウエア（プログラム）は、各制御基板Ｋａ、Ｋｂ、Ｋｃ、Ｋｄに搭載されたＲＯＭ４１に記憶されている。また、各ＲＡＭ４２は、これらプログラムが作動するときに各種のデータの読み込みやデータの作成、計算等を行うための記憶エリア、計算エリアとして使用される。また、メイン制御基板Ｋａとサブ制御基板Ｋｂ、サブ制御基板Ｋｂと画像制御基板Ｋｃ、サブ制御基板Ｋｂと画像制御基板Ｋｄとは、ケーブル線Ｔ１、Ｔ２により接続されてデータ通信ができるようになっている。なお、ＣＰＵ４０としては、各メイン制御基板Ｋａ、サブ制御基板Ｋｂ、画像制御基板Ｋｃ、画像制御基板Ｋｄの処理機能に対応して８ビット、１６ビット或いは３２ビットのＣＰＵや、これらを超えるビット数のＣＰＵ等のうち何れかを採用することができる。
【００３８】
メイン制御基板Ｋａの入出力インターフェイス回路４３には、ドットマトリクス表示器３９が接続され、サブ制御基板Ｋｂの入出力インターフェイス回路４３にはランプ装置７が接続され、画像制御基板Ｋｃの入出力インターフェイス回路４３には、スピーカー６及び表示装置１４が接続され、画像制御基板Ｋｄの入出力インターフェイス回路４３には液晶表示装置３８が接続されている。
【００３９】
なお、サブ制御基板Ｋｂに搭載されているＲＯＭ４１の所定の記憶番地には、画像制御基板Ｋｃを介して表示装置１４及びスピーカー６に、また画像制御基板Ｋｄを介して液晶表示装置３８に夫々表示するための各種の画像データ、各種の音声データが記憶されている。画像データとしては、２７種の牌の図柄データ、雀球遊技機１の電源をＯＮした時に初期画面として表示する画像データ、遊技者が上がり役を完成させたとき等に表示する各種の演出用画像データがある。また、各種の音声データとしては、遊技の進行に伴って遊技者に対してゲームの進行を支援するための音声や、演出用の効果音を出力するためのデジタルデータがある。
【００４０】
メイン制御基板Ｋａに搭載されているＲＯＭ４１には、雀球遊技機１の遊技の進行を制御するための各種のプログラムが記憶されている。メイン制御基板ＫａのＲＯＭ４１に搭載されているプログラムは、例えば、図６に示すように、メイン基板動作制御プログラムＰ１、通信制御プログラムＰ２、メダル管理プログラムＰ３、遊技球管理プログラムＰ４、自動配牌プログラムＰ５、特別役データテーブルＰ６１を有する特別役選定プログラムＰ６、ドラ抽選プログラムＰ７、特別役成立判定プログラムＰ８１及び特別継続役成立判定プログラムＰ８２を有する入賞判定プログラムＰ８、操作支援プログラムＰ９、特別遊技制御プログラムＰ１０、特別遊技継続制御プログラムＰ１１、特別遊技中自摸牌選択プログラムＰ１２、図柄表示プログラムＰ１３、ゲーム数カウントプログラムＰ１４１と設定ゲーム数再設定プログラムＰ１４２とを有する救済条件判定プログラムＰ１４、救済時特別役選定指令プログラムＰ１５１と救済時配牌指令プログラムＰ１５２とを有する救済制御プログラムＰ１５等から構成される。
【００４１】
メイン基板動作制御プログラムＰ１は、雀球遊技機１の全体の動作を統括するプログラムであり、主に下記のような処理を行う。
（１）遊技機１の電源がＯＮされたときの初期化の処理、例えば、電源ＯＮ時の初期化制御コマンドをサブ制御基板Ｋｂ、サブ制御基板Ｋｂを経由して画像制御基板Ｋｃに送信する。この制御コマンドに基づいて、サブ制御基板Ｋｂと画像制御基板Ｋｃは電源ＯＮ時の初期化処理を行う。これにより、画像制御基板Ｋｃは、電源ＯＮ時の演出用画像や音声等を出力することができる。
（２）各種の入出力センサから入力される信号を解析し、その信号に対応した処理を行うように雀球遊技機１の動作を制御する。例えば、遊技者が遊技球を発射したときに入球した入球口からの入球信号を解析し、この入球口に対応する牌の図柄を自摸牌として手牌データに追加（自摸の操作）する処理、或いは遊技者が捨て牌ボタン１６ａ等を操作して手牌から不要な牌を切る操作（捨て牌操作）を行ったときに、どの捨て牌ボタンからの信号であるかを解析し、この捨て牌ボタンに対応する牌の図柄を手牌データから削除する処理、等を行う。
（３）自動配牌プログラムＰ５が作動して遊技開始時の１４個の手牌が決定されたときに、この手牌の図柄データをＲＡＭ４２に手牌データとして手牌記憶領域に記憶する処理、この手牌データをサブ制御基板Ｋｂに送信するための処理、及び上記（１）、（２）の処理において遊技者が捨て牌操作、自摸の操作を行う都度、現在の手牌データ、捨て牌、自摸牌に関する牌の図柄データ（以下、図柄コードという）をサブ制御基板Ｋｂに送信するための処理、等を行う。
【００４２】
通信制御プログラムＰ２は、サブ制御基板Ｋｂとの通信を行うためのプログラムであり、送信するデータは如何なる処理を行うかを予め設定した制御コマンドと共に、この制御コマンドに必要なデータが送信される。また、画像制御基板Ｋｃにデータを送信する場合には、サブ制御基板Ｋｂを経由してデータが送信されることになる。
【００４３】
メダル管理プログラムＰ３は、ゲームの進行に伴ってメダルの貯留枚数の管理と払い出しの処理を行うためのプログラムである。メイン基板動作制御プログラムＰ１はメダル投入口１５からメダルの投入信号等を検出すると、メダル管理プログラムＰ３に下記の処理を行わせる。
（Ａ）メダル投入口１５からメダルの投入信号を検出すると、ＲＡＭ４２に記憶している遊技メダル貯留枚数を「１」加算する。
（Ｂ）遊技開始ボタン２４からの信号を検出すると、上記遊技メダル貯留枚数を「３」減算する。
（Ｃ）上がり時に、遊技終了ボタン２３からの信号を検出すると、その上がり役で獲得したメダル枚数をＲＡＭ４２に記憶している遊技メダル貯留枚数に加算する。
（Ｄ）払い出しボタン２２の信号を検出したとき、貯留枚数分のメダルをメダル受け皿５に払い出すように制御信号を出し、メダルがメダル受け皿５に１枚払い出されるごとに遊技メダル貯留枚数を「１」減算する処理を行う。
【００４４】
遊技球管理プログラムＰ４は、メイン基板動作制御プログラムＰ１の制御に基づいて、次の処理を行うプログラムである。
（ａ）ゲーム開始時に、ＲＡＭ４２に記憶する残り遊技球数を１４個に設定する。
（ｂ）捨て牌ボタン１６ａ等から捨て牌の操作信号を検出すると、遊技球発射位置（図示せず）に遊技球を１球送る制御を行う。
（ｃ）遊技球発射レバー４から発射された遊技球が入球口１１ａ、１１ｂ、１１ｃ、…の何れかに入球し、その入球信号が検出されると、残り遊技球数を「１」減算し、入球した入球口に対応する牌の図柄コードを作成する。
【００４５】
自動配牌プログラムＰ５は、１ゲームの開始時に、１４個の配牌の図柄をランダムに自動的に決定するためのプログラムである。この自動配牌プログラムＰ４は、乱数発生手段により発生した乱数を利用して、本雀球遊技機１で使用する１０８個の麻雀牌から１４個の配牌の図柄を決定する処理を行う。
【００４６】
自動配牌プログラムＰ５は、例えば、次のような処理を行うことにより、ゲーム開始時に、必要とする１４個の牌の図柄を決定することができる。
（ア）本雀球遊技機１において使用される牌の図柄は、二索から八索までの索子牌を除く２７種の牌、計１０８個である。これら使用される牌には、表１に示すように、２７種の牌の図柄に、０１Ｈ〜１ＢＨの図柄コード（１６進数）を付与し、更に、各２７種から構成される計１０８個の図柄に０〜１０７までの数値を４個割り付けたデータテーブルを予めＲＯＭ４０に登録しておく。
（イ）自動配牌プログラムＰ５には、例えば、５桁の乱数を発生させる乱数発生プログラムを備えておく。そして、自動配牌プログラムＰ５は、乱数発生プログラムで発生させた５桁の乱数を１０８で除算し、その余りを算出する。続いて、表１を参照してこの余りの値に対応する牌の図柄コードを０１Ｈ〜１ＢＨから求め、この図柄コードが配牌される図柄として決定する。
（ウ）上記（イ）の処理を計１４回実施して、ゲーム開始時に、必要とする１４個の牌の図柄を決定する。なお、この５桁の乱数を発生させるプログラムには、毎回異なる乱数が発生するようにランダマイズ処理を行うプログラムを付加しておく必要がある。このような処理により決定した１４個の配牌の図柄コードはＲＡＭ４２の手牌記憶領域に記憶しておく。なお、手牌記憶領域に記憶した１４個の配牌データは図柄コードの上昇順にソートして記憶する。
【００４７】
なお、自動配牌プログラムＰ５は、詳しくは後述する救済制御時において、救済時配牌指令プログラムＰ１５２からの指令によって、上述した乱数による配牌の選定を中止し、後述の特別役選定プログラムＰ６により選定されるビッグ役５１に基づき、当該ビッグ役５１が成立し易い配牌を選定することになる。
【００４８】
【表１】
2007117104.tif 000003
【００４９】
特別役選定プログラムＰ６は、図１０に示すような特別役データテーブルＰ６１をＲＯＭ４１に記憶された形で有しており、該特別役データテーブルＰ６１を参照して１ゲームごとに特別遊技の権利を獲得できる特別役５０（チャンス役５２及びビッグ役５１）を選定するプログラムである。詳細には、該特別役データテーブルＰ６１は、予め設定された特別役５０がチャンス役５２とビッグ役５１とに区別されて格納されており、例えば図中横方向に２つのチャンス役５２と１つのビッグ役５１とが関連付けられて格納されている。通常遊技（後述の救済制御時以外）の状態では、特別役選定プログラムＰ６は、図中横方向に関連付けられたテーブルＴｂ１、テーブルＴｂ２、テーブルＴｂ３、テーブルＴｂ４、テーブルＴｂ５、テーブルＴｂ６の中から、１つのテーブルＴｂｎ（ｎは例えば乱数抽選）を選定することになる。また、詳しくは後述する救済制御時においては、特別役選定プログラムＰ６は、救済時特別役選定指令プログラムＰ１５１からの指令によって、テーブルＴｂ７を選択することになる。
【００５０】
このように選定されたテーブルＴｂｎのビッグ役５１及びチャンス役５２の内容は、後述の画面表示プログラムＰ３２に送信され、図４に示すビッグゲーム役表示部３２とチャンスゲーム役表示部３３に夫々表示される。
【００５１】
なお、本実施の形態では、例えば通常遊技におけるテーブルＴｂ１〜Ｔｂ６と救済制御時におけるテーブルＴｂ７との７種類を例として挙げているが、これに限らず、もっと多くのテーブルデータを有している構成であってよい。
【００５２】
一方、図６に示すドラ抽選プログラムＰ７は、ゲーム開始時に、同様にして抽選により表ドラ及び裏ドラを決定するためのプログラムである。
【００５３】
入賞判定プログラムＰ８は、自動配牌プログラムＰ５により１４個の手牌が決定したとき、及び遊技者が自摸の操作を行ったときに、手牌が予め設定された上がり役の組合せになっているか否かを判定するためのプログラムである。この上がり役としては、表２に示すような構成のデータテーブル、即ち、上がり役のコード（表２には上がり役のコードは表示せず）とその上がり役に対して遊技者が獲得できる得点（獲得メダル枚数）が予め入賞判定プログラムＰ８、又はＲＯＭ４１に記憶されている。そして、現在の１４個の手牌について、入賞判定プログラムＰ８が上がり役を完成していると判定した場合には、メイン制御基板Ｋａは、上がり役完成の制御コマンドとその上がり役のコード、獲得した得点等を、サブ制御基板Ｋｂを経由して画像制御基板Ｋｃに伝送する処理を行う。
【００５４】
【表２】
2007117104.tif 000004
【００５５】
また、特別役成立判定プログラムＰ８１は、例えば上記入賞判定プログラムＰ８により手牌が上がり役の組合せになっていることを判定した場合に、その上がり役が上記特別役データテーブルＰ６１から選定した特別役５０（選定したテーブルＴｂｎ内の３つの役）に該当するか否かを判定する。そして、その特別役５０が成立（該当）している場合は、後述の特別遊技制御プログラムＰ１０や特別遊技画面表示プログラムＰ３２２等に、特別役が成立したことを信号出力する。
【００５６】
更に、特別継続役成立判定プログラムＰ８２は、上記特別役成立判定プログラムＰ８１によって特別役５０が成立したことが判定された場合に、その上がり役が特別役５０の中のビッグ役５１であるか否かを判定する。そして、そのビッグ役５１が成立（該当）している場合は、後述の特別遊技継続制御プログラムＰ１１や特別遊技画面表示プログラムＰ３２２等に、ビッグ役が成立したことを信号出力する。なお、この特別継続役成立判定プログラムＰ８２がビッグ役５１の成立を判定しない場合は、特別役成立判定プログラムＰ８１により特別役５０の成立だけが判定された場合であるので、つまりチャンス役５２の当選ということになる。
【００５７】
操作支援プログラムＰ９は、遊技者に対して、表示装置１４の画面と対話方式によりゲーム進行に関する操作を支援するためのプログラムである。特に操作支援プログラムＰ９は、画面表示プログラムＰ３２に信号出力し、例えば「自摸を行ってください」、「捨て牌を選んでください」等の表示を表示装置１４の画面上に行って、遊技者の操作を支援する。
【００５８】
特別遊技制御プログラムＰ１０は、上記特別役成立判定プログラムＰ８１が出力した特別役５０が成立した旨の信号を受け、アタッカー作動通過口１０に設けられた入球センサ（図示せず）をＯＮし、アタッカー９の開放の契機となるアタッカー作動通過口１０への入球の有効／無効を判定するプログラムである。つまり、当該特別遊技制御プログラムＰ１０が、アタッカー作動通過口１０への入球の有効を判定すると、アタッカー９が開放されて自由選択自摸が可能となる特別遊技の権利が生じることになり、これによって、特別遊技が開始制御されることになる。
【００５９】
特別遊技継続制御プログラムＰ１１は、上記特別継続役成立判定プログラムＰ８２が出力したビッグ役５１が成立した旨の信号を受け、次ゲーム以降から例えば１３ゲーム（当該ゲームを含め１４ゲーム）の間、継続させてアタッカー作動通過口１０に設けられた入球センサ（図示せず）をＯＮにさせるプログラムである。つまり、当該特別遊技継続制御プログラムＰ１１が、アタッカー作動通過口１０への入球の有効を次ゲーム以降から１３ゲームの間継続させると、特別遊技が当該ゲームを含めて１４ゲーム継続するビッグゲームの権利が生じた状態となる。
【００６０】
特別遊技中自摸牌選択プログラムＰ１２は、特別遊技の権利を獲得したゲームにおいて、アタッカー９に遊技球が入球した信号が入力されると、遊技者に対して、自摸する牌の図柄を自由選択する操作を行わせるためのプログラムである。つまり、本雀球遊技機１においては、例えば捨て牌の枚数（同じ牌が４枚まで）等の制限以外、遊技者が自由に好みの牌の図柄を選択して入手し、交換したのと同じようにすることができる。
【００６１】
なお、本雀球遊技機１においては、１個の遊技球がアタッカー９に入球する毎に１つの自摸牌を自由選択するものを一例として説明しているが、これに限らず、１個の遊技球がアタッカー９に入球した際に、複数（例えば２つ乃至５つ）の自摸牌を自由選択できるように構成してもよい。
【００６２】
図柄表示プログラムＰ１３は、メイン基板動作制御プログラムＰ１により検出される手牌及び捨て牌に関する情報と、ドラ抽選プログラムＰ７により検出される表ドラに関する情報と、ドラ抽選プログラムＰ７により検出される裏ドラに関する情報と、メダル管理プログラムＰ３により検出される遊技メダル貯留枚数及び遊技メダル獲得枚数に関する情報と、遊技球管理プログラムＰ４により検出される残り遊技球数に関する情報とを受けて、夫々の情報に応じた表示をドットマトリクス表示器３９（図５参照）やセグメント表示器（図示せず）に行わせる制御を実行する。
【００６３】
救済条件判定プログラムＰ１４は、連続した設定ゲーム数の間における上がり役の成立状態に基づく救済条件が成立したか否かを判定するプログラムである。また、救済制御プログラムＰ１５は、上記救済条件の成立が判定された際に、ビッグ役５１が成立し易くなるように制御するプログラムである。ここで、本発明においては、以下の３つの条件を救済条件としている。
（Ａ）連続した設定ゲーム数（例えば平均１００ゲーム）の間、ビッグ役５１が非成立であった場合。
（Ｂ）連続した設定ゲーム数（例えば平均５０ゲーム）の間、上がり役が非成立であった場合。
（Ｃ）連続した設定ゲーム数（例えば平均７５ゲーム）の間、得点が３点（所定点数）以下であった場合。
なお、これらのゲーム数や得点の設定値は、一例であって、どのような設定値であってもよいが、以下の説明においては、発明の理解を容易にするため、この一例の設定値を用いて説明する。
【００６４】
即ち、例えば条件（Ａ）を救済条件とした場合は、まず、設定ゲーム数再設定プログラムＰ１４２が上記特別遊技継続制御プログラムＰ１１によるビッグゲームの権利の終了後（１４ゲームの特別遊技の終了後）に、次の救済条件が成立するまでの設定ゲーム数を例えば平均１００ゲーム位となるように（例えば１ゲーム〜２００ゲームの間でランダムに）抽選して再設定する。つづいて、ゲーム数カウントプログラムＰ１４１が前回のビッグ役５１が成立した後の次のゲーム（特別遊技終了後の次のゲームであってもよい）よりビッグ役５１が成立しない限りゲーム数のカウントを行い、該カウントが上記設定ゲーム数になった際に、救済条件判定プログラムＰ１４が救済条件の成立を判定する。
【００６５】
そして、救済条件判定プログラムＰ１４が救済条件の成立を判定すると、救済制御プログラムＰ１５が救済制御を開始し、救済時特別役選定指令プログラムＰ１５１又は（及び）救済時配牌指令プログラムＰ１５２を起動する。該救済時特別役選定指令プログラムＰ１５１が起動されると、特別役選定プログラムＰ６に指令を行い、それを受けて該特別役選定プログラムＰ６が特別役データテーブルＰ６１の中からテーブルＴｂ７を選択し、ビッグ役５１が容易に成立することが可能な「門前清自摸」に選定される。また、救済時配牌指令プログラムＰ１５２が起動されると、自動配牌プログラムＰ５に指令を行い、それを受けて自動配牌プログラムＰ５が特別役選定プログラムＰ６により選定されたビッグ役５１に近い配牌（例えば１個の牌だけが異なる配牌）を選定し、つまりビッグ役５１が容易に成立することが可能な配牌が選定される。
【００６６】
なお、ゲーム数カウントプログラムＰ１４１のカウントは、ビッグ役５１が成立した際にリセットされ、つまり設定ゲーム数未満でビッグ役５１が成立した際は、救済条件判定プログラムＰ１４により救済条件の成立は判定されない。
【００６７】
また、例えば条件（Ｂ）を救済条件とした場合は、まず同様に、設定ゲーム数再設定プログラムＰ１４２が上記特別遊技継続制御プログラムＰ１１によるビッグゲームの権利の終了後（１４ゲームの特別遊技の終了後）に、次の救済条件が成立するまでの設定ゲーム数を例えば平均５０ゲーム位となるように（例えば１ゲーム〜１００ゲームの間でランダムに）抽選して再設定する。つづいて、ゲーム数カウントプログラムＰ１４１が前回のビッグ役５１が成立した後の次のゲーム（特別遊技終了後の次のゲームであってもよい）より上がり役（表２参照）が成立しない限りゲーム数のカウントを行い、該カウントが上記設定ゲーム数になった際に、救済条件判定プログラムＰ１４が救済条件の成立を判定する。
【００６８】
そして同様に、救済条件の成立の判定によって、救済制御プログラムＰ１５が救済時特別役選定指令プログラムＰ１５１又は（及び）救済時配牌指令プログラムＰ１５２を起動し、ビッグ役５１が容易に成立することが可能な「門前清自摸」に選定したり、ビッグ役５１が容易に成立することが可能な配牌が選定される。
【００６９】
なお、ゲーム数カウントプログラムＰ１４１のカウントは、上がり役が成立した際にリセットされ、つまり設定ゲーム数未満で何らかの和了りが成立した際は、救済条件判定プログラムＰ１４により救済条件の成立は判定されず、その上がりが成立した次のゲームから新たにカウントが開始される。
【００７０】
更に、例えば条件（Ｃ）を救済条件とした場合は、まず同様に、設定ゲーム数再設定プログラムＰ１４２が上記特別遊技継続制御プログラムＰ１１によるビッグゲームの権利の終了後（１４ゲームの特別遊技の終了後）に、次の救済条件が成立するまでの設定ゲーム数を例えば平均７５ゲーム位となるように（例えば１ゲーム〜１５０ゲームの間でランダムに）抽選して再設定する。つづいて、ゲーム数カウントプログラムＰ１４１が前回のビッグ役５１が成立した後の次のゲーム（特別遊技終了後の次のゲームであってもよい）より４点以上の和了り（表２参照）が成立しない限りゲーム数のカウントを行い、該カウントが上記設定ゲーム数になった際に、救済条件判定プログラムＰ１４が救済条件の成立を判定する。
【００７１】
そして同様に、救済条件の成立の判定によって、救済制御プログラムＰ１５が救済時特別役選定指令プログラムＰ１５１又は（及び）救済時配牌指令プログラムＰ１５２を起動し、ビッグ役５１が容易に成立することが可能な「門前清自摸」に選定したり、ビッグ役５１が容易に成立することが可能な配牌が選定される。
【００７２】
なお、ゲーム数カウントプログラムＰ１４１のカウントは、４点以上の上がり役が成立した際にリセットされ、つまり設定ゲーム数未満で４点以上の和了りが成立した際は、救済条件判定プログラムＰ１４により救済条件の成立は判定されず、その４点以上の上がりが成立した次のゲームから新たにカウントが開始される。
【００７３】
本雀球遊技機１の救済条件判定プログラムＰ１４においては、以上の条件（Ａ）、条件（Ｂ）、条件（Ｃ）の何れか１つの条件の成立を判定するように構成したものとして説明するが、勿論、同時進行的に３つとも判定するように構成してもよく、また、これら３つ条件のうちの何れか２つを同時進行的に判定するように構成してもよい。また、雀球遊技機には、これら３つの条件成立を判定する機能を３つとも兼ね備えている必要はなく、少なくとも１つの条件成立を判定する機能があれば足りる。
【００７４】
一方、サブ制御基板ＫｂのＲＯＭ４１に搭載されているプログラムは、図７に示すように、サブ基板動作制御プログラムＰ２１、通信制御プログラムＰ２２、ランプ制御プログラムＰ２３、上がり牌判定プログラムＰ２４、等から構成されている。更に、この上がり牌判定プログラムＰ２４は、聴牌パターン判定プログラムＰ２４１、上がり牌種判定プログラムＰ２４２、及び上がり牌判定抽出プログラムＰ２４３を備えて構成される。
【００７５】
サブ基板動作制御プログラムＰ２１は、メイン制御基板Ｋａから伝送された各種の制御コマンドを解読し、各制御コマンドに対応して上記各プログラムの実行を制御するプログラムである。
【００７６】
通信制御プログラムＰ２２は、メイン制御基板Ｋａからのデータの受信と画像制御基板Ｋｃ，Ｋｄとの通信処理を行うプログラムである。画像制御基板Ｋｃ，Ｋｄは、サブ制御基板Ｋｂから送信されたこれら各種の制御コマンドとその制御データ等を受信すると、プログラム処理により表示装置１４や液晶表示装置３８に演出用の画像や情報を表示し、更に、音声・効果音出力プログラムＰ４１（図８参照）を介してスピーカー６から演出用の音声や効果音を出力させる。
【００７７】
ランプ制御プログラムＰ２３は、メイン制御基板Ｋａから伝送された制御コマンドとその制御データに基づいて、ランプ７等の発光（点灯、消灯、点滅）の制御を行うためのプログラムである。
【００７８】
上がり牌判定プログラムＰ２４は、遊技者が捨て牌の操作を行った後に、メイン制御基板Ｋａから送信された現在の１３個の手牌に基づいて、予め設定された上がり役を完成させるために遊技者が行う所要の操作を支援（例えば、自摸すべき牌をアシスト）するためのプログラムである。この上がり牌判定プログラムＰ２４は、遊技者が現在の１３個の手牌に自摸の操作を行って１個の牌を追加した場合に、上がり役を完成させることができる牌（上がり牌）の有無を判定すると共に、予め自摸すべき牌を支援する処理（図１及び図２の液晶表示装置３８や図４の上がり牌表示部３１への表示処理）を、後述の画面表示プログラムＰ３２を介して行うためのプログラムである。そして、上がり牌判定プログラムＰ２４は、上がり役を完成させるため自摸すべき牌が抽出された場合には、この牌の図柄を画像制御基板Ｋｃを介して表示させる制御を行う。
【００７９】
メイン制御基板Ｋａのメイン基板動作制御プログラムＰ１は、遊技者が遊技球を発射して自摸の操作を行って手牌が１４個になると、入賞判定プログラムＰ８を作動させて上がり役を完成させたか否かの判定を行う。そして、上がり役を完成していない場合には、遊技者が１４個の手牌の中から不要な１個の牌を捨てる「捨て牌の操作」を行う都度、手牌記憶領域に記憶している１３個になった手牌の図柄コードを制御コマンドと共にサブ制御基板Ｋｂに送信する。このとき、１３個の図柄コードは上昇順にソートされてサブ制御基板Ｋｂに送信される。サブ制御基板Ｋｂのサブ基板動作制御プログラムＰ２１は、この１３個の手牌の図柄コードを受信すると、受信したデータをＲＡＭ４２に記憶した後、制御を上がり牌判定プログラムＰ２４に移行させる。すると、上がり牌判定プログラムＰ２４は、順次、聴牌パターン判定プログラムＰ２４１、上がり牌種判定プログラムＰ２４２、上がり牌判定抽出プログラムＰ２４３を作動させる。
【００８０】
聴牌パターン判定プログラムＰ２４１は、リーチボタン１８が操作された際、このときに手牌表示部３５及び自摸牌表示部３６に表示されている手牌図柄の図柄コードの組合せが上がり役を完成する直前の聴牌状態であるか否かを判定し、その判定結果を出力する。
【００８１】
なお、上がり牌判定抽出プログラムＰ２４３が、所定の処理で判定して抽出し、ＲＡＭ４２に記憶した上がり牌の図柄コードの全てを画像制御基板Ｋｃ、Ｋｄに制御コマンドと共に送信して、画像制御基板Ｋｃに対してこの上がり牌の図柄コードに対応する図柄を表示させるための制御を行った際、サブ制御基板Ｋｂの上がり牌判定プログラムＰ２４は、上がり牌の図柄コードを受信した時点で、画面表示プログラムＰ３２のゲーム演出表示プログラムＰ３２１２等を介して、受信した上がり牌の図柄コードの図柄を上がり牌の候補として上がり牌表示部３１及び液晶表示装置３８に表示する。このとき、スピーカー６から音声を出力させるようにしてもよい。この場合、上がり牌表示部３１及び液晶表示装置３８双方には上がり牌のアシスト（支援）等に関する表示が同時進行的に行われるが、その際、液晶表示装置３８上の表示は、上がり牌等の表示に加えて、演出用キャラクタを用いた画像表示が行われる。
【００８２】
ついで、図８を参照して、画像制御基板ＫｃのＲＯＭ４１に搭載されているプログラムについて説明する。このプログラムは、画像基板動作制御プログラムＰ３１、画面表示プログラムＰ３２、及び音声・効果音出力プログラムＰ４１等から構成されている。以下、これらプログラムの処理内容の概要について説明する。
【００８３】
画像基板動作制御プログラムＰ３１は、サブ制御基板Ｋｂから送信された各種の制御コマンドを解読し、これら制御コマンドに対応して上記各プログラムの実行を制御するプログラムである。
【００８４】
画面表示プログラムＰ３２、音声・効果音出力プログラムＰ４１は、サブ制御基板Ｋｂから送信された制御コマンドとその制御データに基づいて、各種の演出用の画像を表示装置１４に表示する処理と、各種の演出用の音声や効果音或いは警告音をスピーカー６から出力する処理とをそれぞれに行う。
【００８５】
画面表示プログラムＰ３２は、サブ制御基板Ｋｂから送信されてきた制御コマンドとその制御データに基づいて、表示装置１４に画像等を表示する処理を行うプログラムであり、通常遊技画面表示プログラムＰ３２１、及び特別遊技画面表示プログラムＰ３２２を備えて構成される。
【００８６】
通常遊技画面表示プログラムＰ３２１は、雀球遊技機１の電源ＯＮ時から、遊技者が通常の遊技を行っているときに、表示装置１４に各種の演出画像や遊技者に対して支援する各種の画像を表示する処理を行うプログラムであり、サブプログラムとして初期演出表示プログラムＰ３２１１、ゲーム演出表示プログラムＰ３２１２を備えている。
【００８７】
初期演出表示プログラムＰ３２１１は、電源ＯＮ時の演出画面、例えば、風景画面を表示装置１４に表示する等の処理を行う。
【００８８】
ゲーム演出表示プログラムＰ３２１２は、図４に示すような内容の画面を表示装置１４に表示する等の機能を備えて構成される。例えば、遊技の進行に伴って遊技者が捨て牌の操作、通常遊技のゲームの場合は遊技球の発射による自摸牌の操作等を行うごとに、メイン制御基板Ｋａからサブ制御基板Ｋｂを経由して送信された制御コマンドとその制御データに基づいて、現在の手牌の図柄、捨て牌の図柄、及びサブ制御基板Ｋｂから送信されてきた上がり牌と判定された牌の図柄を表示する処理、上がり役を完成したときその上がり役を獲得した得点数を表示する処理、等各種の表示手段を備えたプログラムから構成される。
【００８９】
また、特別遊技画面表示プログラムＰ３２２は、上記特別役成立判定プログラムＰ８１及び／又は特別継続役判定プログラムＰ８２にチャンス役５２又はビッグ役５１の成立が判定され、特別遊技制御プログラムＰ１０による特別遊技の開始制御を受けて、各種の演出用の画面を表示装置１４に表示する処理を行うプログラムである。この特別遊技画面表示プログラムＰ３２２は、更に、遊技者が特別遊技の権利を獲得することができる上がり役を完成した時点に演出表示する権利獲得演出表示プログラムＰ３２２１、上記特別遊技中自摸牌選択プログラムＰ１２による自由選択自摸を支援するための自摸牌候補選択支援プログラムＰ３２２２を備えている。
【００９０】
権利獲得演出表示プログラムＰ３２２１は、表示装置１４の上がり牌表示部３１に上がり役の説明表示と、チャンスゲーム権利成立又はビッグゲーム権利成立の表示とを所定の時間間隔で交互に表示し、遊技者にチャンスゲーム又はビッグゲームの権利が成立したことを知らせる処理を行う。
【００９１】
自摸牌候補選択支援プログラムＰ３２２２は、遊技者が特別遊技の権利を獲得したときに作動されるプログラムであり、表示装置１４に表示された自摸牌の候補の図柄を牌選択右シフトボタン１９、或いは牌選択左シフトボタン２０を操作してスクロールさせながら、対話方式により自摸すべき牌の図柄を選択する操作を支援する。
【００９２】
音声・効果音出力プログラムＰ４１は、サブ制御基板Ｋｂの通信制御プログラムＰ２２から送信された制御コマンドとその制御データに基づいて、遊技の進行に伴って各種の演出用音声や効果音或いは警告音をスピーカー６から出力するためのプログラムである。
【００９３】
また、図示はしないが、画像制御基板ＫｄのＲＯＭ４１には、画像制御基板Ｋｃで述べた画像基板動作制御プログラムＰ３１や画面表示プログラムＰ３２と同様の機能を有するプログラムが搭載されている。なお、当該画像制御基板ＫｄのＲＯＭ４１に搭載された、画面表示プログラムＰ３２と同様の機能のプログラムによると、例えば、上がり牌に係るアシスト時の演出に関しては、画面表示プログラムＰ３２により表示装置１４に表示されるアシスト演出用画像とは異なる内容が表示されることとなる。
【００９４】
上記した各制御基板Ｋａ、Ｋｂ、Ｋｃ、Ｋｄの動作を制御するプログラムは、アセンブラ言語、Ｃ言語或いはVisual  Basic言語等を利用して開発され、各基板のＣＰＵ４０が実行可能なプログラムである機械語プログラムに翻訳したプログラムとして各制御基板Ｋａ、Ｋｂ、Ｋｃ、ＫｄのＲＯＭ４１に記憶されている。
【００９５】
続いて、上述した雀球遊技機１の遊技手順とこの手順に伴う各プログラムの処理の概要について、図９のフローチャートを参照しつつ説明する。
【００９６】
１ゲームは、遊技者がメダル投入口１５へメダルを投入して、遊技開始ボタン２４を押圧して、自動配牌プログラムＰ５が１４個の手牌を配牌することによりスタートする。そして、遊技者が捨て牌ボタン１６ａ、１６ｂ、…、等の各種の操作ボタンやセンサから発生する入力信号及び制御信号に基づいて作動する各プログラムの制御に従って、１ゲームが進行して行くことになる。
【００９７】
まず、ステップＳ１の初期設定処理において、雀球遊技機１の電源がＯＮされると、メイン制御基板Ｋａのメイン基板動作制御プログラムＰ１は、メイン制御基板ＫａのＲＡＭ４２の記憶領域を初期化する。続いて、メイン基板動作制御プログラムＰ１は、電源ＯＮ時の初期化制御コマンドをサブ制御基板Ｋｂに、サブ制御基板Ｋｂはこの初期化制御コマンドを画像制御基板Ｋｃ、Ｋｄに伝送する。サブ制御基板Ｋｂ、画像制御基板Ｋｃ、Ｋｄはこの初期化制御コマンドを受信すると、ＲＡＭ４２の記憶領域を初期化すると共に、画像制御基板Ｋｃに搭載されている初期演出表示プログラムＰ３２１１は、電源ＯＮ時の演出画面、例えば、風景画面を表示装置１４に表示する等の処理を行う。
【００９８】
なお、サブ制御基板Ｋｂがこの電源ＯＮ時の初期化制御コマンドを受信すると、サブ基板動作制御プログラムＰ２１は、前記したようにサブ制御基板ＫｂのＲＯＭ４１に記憶している各種の画像データ、音声・効果音データを画像制御基板Ｋｃに伝送し、画像制御基板Ｋｃの画像基板動作制御プログラムＰ３１は、受信したこれら画像、音声・効果音データをＲＡＭ４２に記憶する処理を行う。
【００９９】
そして、ステップＳ２の遊技進行処理において、遊技者がメダル投入口１５にメダルを投入すると、メイン基板動作制御プログラムＰ１がそのメダル投入信号を検出し、これに伴いメダル管理プログラムＰ３が遊技メダル貯留枚数を「１」加算する処理を行う。続いて、遊技者が遊技開始ボタン２４を押圧し、メイン基板動作制御プログラムＰ１がこの遊技開始ボタン２４からゲーム開始信号を検出すると、１ゲームの遊技が開始できる状態になる。すると、メイン基板動作制御プログラムＰ１は、ゲーム開始の制御コマンドを、サブ制御基板Ｋｂを経由して画像制御基板Ｋｃに伝送する。画像制御基板Ｋｃのゲーム演出表示プログラムＰ３２１２は、この制御コマンドに基づいて、ゲーム開始時の演出画像を表示装置１４に表示すると共に、音声・効果音出力プログラムＰ４１により音声をスピーカー６から出力する。このようにして、雀球遊技機１の１ゲームが開始される。
【０１００】
続いて、ステップＳ３の配牌処理では、メイン基板動作制御プログラムＰ１の制御により、自動配牌プログラムＰ５が作動して、ゲームを開始するために必要な１４個の配牌の図柄をプログラム処理により自動的に決める。自動配牌プログラムＰ５は、自動配牌した１４個の図柄コードをＲＡＭ４２の手牌記憶領域に順次記憶した後、所定の順序、例えば、図柄コードの上昇順、すなわち、萬子、筒子、索子、風牌、三元牌の順に並び替えて（ソート）手牌記憶領域に記憶する。
【０１０１】
引き続き、自動配牌プログラムＰ５は、この１４個の配牌された図柄コードを、制御コマンドと共にサブ制御基板Ｋｂに送信する。サブ制御基板Ｋｂのサブ基板動作制御プログラムＰ２１は、この配牌された図柄コードを受信するとＲＡＭ４２に記憶すると共に、画像制御基板Ｋｃにこれら１４個の配牌された図柄コードを送信する。
【０１０２】
サブ制御基板Ｋｂのサブ基板動作制御プログラムＰ２１は、メイン制御基板Ｋａから送信された１４個の配牌の図柄コードについて、現時点の遊技の場において開示されている牌の開示個数を開示個数テーブルにカウントする処理を行う。また、画像制御基板Ｋｃのゲーム演出表示プログラムＰ３２１２は、１４個の配牌の図柄コードを受信すると、図４に示すような牌の図柄の画像を表示装置１４の手牌表示部３５と自摸牌表示部３６に表示する処理を行う。なお、１４個の自動配牌が決定されていない間は、手牌表示部３５、自摸した牌の図柄を表示する自摸牌表示部３６には、初期画面として牌の裏面又は無表示の図柄を表示する処理を行う。
【０１０３】
そして、ステップＳ４のドラ抽選処理では、メイン制御基板Ｋａのドラ抽選プログラムＰ７は、表ドラ及び裏ドラを抽選して、その牌の図柄コードについて、入賞判定プログラムＰ８、画像制御基板Ｋｃのゲーム演出表示プログラムＰ３２１２に送信する。該ゲーム演出表示プログラムＰ３２１２は、送信されてきた表ドラ及び裏ドラの牌の図柄コードに基づき、図４に示すような表ドラ及び裏ドラの牌の図柄の画像を表示装置１４の表ドラ表示部２９と裏ドラ表示部３０に表示する処理を行う。また、入賞判定プログラムＰ８は、後述の上がり役が成立した際に（Ｓ９）、表ドラ及び裏ドラの牌の図柄コードに基づき、当該上がり役に対して点数を加算する（表２参照）。
【０１０４】
続いて、ステップＳ５の特別遊技役等決定表示処理では、特別役選定プログラムＰ６（ただし、通常遊技の遊技を行っているときに作動する、ビッグ役成立時の継続中のゲームにおいては作動しない）が作動して、上記特別役データテーブルＰ６１よりテーブルＴｂｎを選択・抽選して、ビッグ役５１及びチャンス役５２の選定を行う。そして、特別役選定プログラムＰ６の処理により決定されたビッグ役５１及びチャンス役５２の図柄の各データ（コード化されたデータ）は、制御コマンドと共にサブ制御基板Ｋｂを経由して画像制御基板Ｋｃに送信される。
【０１０５】
画像制御基板Ｋｃのゲーム演出表示プログラムＰ３２１２は、ビッグ役５１及びチャンス役５２を獲得できる上がり役のコードを受信すると、ビッグ役とチャンス役をそれぞれビッグゲーム上がり役表示部３２、チャンス上がり役表示部３３に表示する処理を行う。
【０１０６】
そして、ステップＳ６の遊技開始処理において、メイン基板動作制御プログラムＰ１は、自動配牌された１４個の牌の図柄、ビッグゲーム役、チャンスゲーム役、表ドラ等を表示装置１４に表示させる制御が完了すると、表示装置１４に遊技の開始条件が整ったことを遊技者に画面表示又は音声で知らせるように制御する。続いて、メイン基板動作制御プログラムＰ１は、入賞判定プログラムＰ８を作動させて、自動配牌された１４個の手牌が既に上がり役を完成しているか否かを判定させる処理を行う。
【０１０７】
自動配牌された１４個の牌の図柄が上がり役を完成していない場合には、メイン基板動作制御プログラムＰ１は、遊技者に手牌の中から不要な１個の牌を捨てる操作を促すための画面表示を行う制御コマンドを、サブ制御基板Ｋｂを経由して画像制御基板Ｋｃ，Ｋｄに送信する。画像制御基板Ｋｃ，Ｋｄがこの制御コマンドを受信した際、ゲーム演出表示プログラムＰ３２１２は、手牌の中から不要な１個の牌を捨てる操作を促すためのメッセージを表示装置１４及び液晶表示装置３８に表示する処理を行う。このとき、音声・効果音出力プログラムＰ４１を作動させて、音声と共に促す処理を行うようにしてもよい。
【０１０８】
また、万が一、この判定処理で上がり役を完成している場合には、入賞判定プログラムＰ８は、予め設定された如何なる上がり役で上がっているかの判定と遊技者が獲得できる得点（獲得メダル枚数）を前記表２のデータを参照して決定する。更に、入賞判定プログラムＰ８は、これら上がり役、獲得した得点等を、サブ制御基板Ｋｂを経由して画像制御基板Ｋｃに送信する。画像制御基板Ｋｃは、これら上がり役と獲得した得点等を受信すると、ゲーム演出表示プログラムＰ３２１２は、表示装置１４に上がり役、獲得した得点、その他の演出画像を表示装置１４に所定の時間ほど表示する処理を行う。
【０１０９】
また、この上がり役を完成している場合において、上記選定されたビッグ役５１及びチャンス役５２が成立している際は、特別役成立判定プログラムＰ８１によりその成立が判定され、更に、ビッグ役５１が成立している際には、特別継続役成立判定プログラムＰ８２によりその成立が判定され、詳しくは後述するチャンスゲーム又はビッグゲームの特別遊技が開始制御される。
【０１１０】
上述のように、自動配牌された１４個の牌の図柄が上がり役を完成していない場合には、ステップＳ７の捨て牌・自摸牌処理において、遊技者は、手牌表示部３５と自摸牌表示部３６に表示されている牌の図柄から、捨て牌を選択する操作を行うことになる。そして、遊技者は捨てる牌の図柄を決定すると、この捨て牌の図柄に対応する捨て牌ボタン１６ａ、１６ｂ、１６ｃ、…、或いは自摸牌捨てボタン１７のいずれか１つを選択（オン）してこの牌を捨てる。この捨て牌選択信号に基づいて、メイン基板動作制御プログラムＰ１は、捨て牌操作を行って捨て牌とした牌の図柄コードをＲＡＭ４２に記憶し、更に、ＲＡＭ４２の手牌記憶領域に記憶している手牌の中から捨て牌とした図柄コードを削除して、手牌を１３個にする処理を行う。
【０１１１】
続いて、メイン基板動作制御プログラムＰ１は、捨て牌とした図柄コードと、１３個になった手牌の図柄コードを制御コマンドと共に、サブ制御基板Ｋｂとサブ制御基板Ｋｂを経由して画像制御基板Ｋｃに送信する処理を行う。画像制御基板Ｋｃのゲーム演出表示プログラムＰ３２１２は、捨て牌とした図柄コードを受信するとその図柄コードに対応する牌の図柄を捨て牌表示部３４に表示し、１３個の手牌の図柄コードを受信するとこれらの図柄コードに対応する牌の図柄を手牌表示部３５に表示する処理を行う。このとき、自摸牌表示部３６には、図４に示すように、牌の裏面等を表示するようにする。
【０１１２】
一方、サブ制御基板Ｋｂのサブ基板動作制御プログラムＰ２１は、上記１３個の手牌の図柄コードを受信すると、上がり牌判定プログラムＰ２４を構成する聴牌パターン判定プログラムＰ２４１、上がり牌種判定プログラムＰ２４２、上がり牌判定抽出プログラムＰ２４３を作動させて、前述したように、現在の１３個の手牌に対して、上がり役を完成させるために次に自摸すべき牌（自摸牌）の有無を判定し、上がり役を完成させる牌（自摸牌）が抽出された場合には、この牌の図柄を表示装置１４に表示させる処理を行う。
【０１１３】
続いて、ステップＳ８の遊技球発射処理において、メイン制御基板Ｋａのメイン基板動作制御プログラムＰ１は、上記した遊技者による捨て牌・自摸牌の操作に関する処理が終了すると、遊技球管理プログラムＰ４を作動させて、遊技球を遊技球発射位置に一球送る処理を行う。これにより、遊技者は、遊技球発射レバー４を操作して、遊技盤面２内に遊技球を発射できる状態になる。
【０１１４】
遊技者が遊技球を発射し、この遊技球が入球口１１ａ、１１ｂ、１１ｃ、…の何れかに入球すると、入球口１１夫々に設けられたセンサの対応するものが遊技球を検出し、それにより入球信号が発生する。遊技球管理プログラムＰ４はこの入球信号を解読し、入球した入球口に対応する牌（自摸牌）の図柄コードを手牌記憶領域に記憶する処理を行う。
【０１１５】
続いて、ステップＳ９の手牌判定処理において、入賞判定プログラムＰ８が作動し、１４個となった手牌が上がり役を完成しているか否かを判定する。そして、手牌が上がり役を完成している場合には、前記したように、予め設定された如何なる上がり役で上がっているかの判定と遊技者が獲得できる得点を求め、これらのデータを、サブ制御基板Ｋｂを経由して画像制御基板Ｋｃに送信する処理を行う。一方、上がり役を完成していない場合には、前記したように、遊技者は１４個の手牌の中から不要と思われる１個の牌を捨てる捨て牌の操作を行うことになる。
【０１１６】
このようにして、遊技者が遊技球発射レバー４を操作して遊技盤面２内に遊技球を発射して、聴牌状態になり、かつ残り遊技球数表示部２７に「１」以上の数値の表示がある場合、遊技者は牌を捨てる操作を行う前に、リーチボタン１８を操作してリーチをかけることができる。ただし、前記条件を満たしていない場合（聴牌状態になっていない場合）には、リーチボタン１８を操作してリーチをかけることができない。リーチボタン１８を操作した後は、捨て牌ボタン１６ａ、１６ｂ、１６ｃ、…のいずれか１つを操作して手牌の中から１つの牌の図柄を捨てるか、自摸牌捨てボタン１７を操作して自摸牌切りを行うと、捨て牌表示部３４に捨て牌の図柄が横向きに表示するようにする。また、裏ドラ表示部３０には裏ドラの図柄を表示する表示も行う。
【０１１７】
このリーチ操作に関する制御では、例えば、次のような処理を行う。まず、メイン基板動作制御プログラムＰ１は、捨て牌ボタン１６ａ、１６ｂ、等からの操作信号を検出し、聴牌パターン判定プログラムＰ２４１の聴牌判定処理により現在の手牌が聴牌状態になっているとの判定結果が得られた後、リーチボタン１８の操作信号を検出すると、リーチがかかったという制御コマンドを、サブ制御基板Ｋｂを経由して画像制御基板Ｋｃに送信すると共に、立直確定信号を送信する。画像制御基板Ｋｃのゲーム演出表示プログラムＰ３２１２は、上記制御コマンドを受信すると、この直後に送信されてくる捨て牌の図柄コードの図柄は、捨て牌表示部３４に横向きに表示する処理を行う。
【０１１８】
なお、ゲームの場がリーチ状態になると、遊技者が発射した遊技球が入球口１１ａ、１１ｂ、１１ｃ、…に入球した図柄に対応する牌（自摸牌）が上がりを完成させる牌にならないときには、メイン基板制御プログラムＰ１は、この自摸牌を自動的に捨て牌として処理するようにすると、遊技者は、リーチ操作後は捨て牌ボタン１６ａ、…等を操作する必要がなくなる。
【０１１９】
入賞判定プログラムＰ８の制御により、１ゲームで獲得できる得点は、例えば、最高１０点までとしその上限が設定されている。また、上がり役が２種類以上同時に成立した場合には、それぞれの上がり役に与えられる得点が加算された得点がそのゲームの得点になる。同様に、手牌中に表ドラ及び裏ドラと同一の牌の図柄が含まれている場合には、そのドラ牌に対しても得点、例えば、ドラ１個に付き１点の得点が加算される。ゲームで獲得した得点の１点がメダル１枚に該当する。ただし、当該ゲームで獲得した得点数の合計が１０点を超えた場合は、獲得できるメダル枚数（得点）は全て１０枚になる。
【０１２０】
ここで、上記ステップＳ９において、手牌が上がり役を完成していることを遊技者が認識し、その上がり役がチャンス役５２又はビッグ役５１であって、特別遊技の権利を獲得できる和了役である場合について説明する。
【０１２１】
すなわち、通常遊技において、入賞判定プログラムＰ８は、遊技球が入球した入球口１１ａ、１１ｂ、…に対応する図柄（自摸牌）が入力される都度、予め設定した和了役の組合せが完了したか否かのチェックを行う。そして、１ゲームが終了するまでの間に、チャンス役５２又はビッグ役５１（チャンスゲーム上がり役表示部３３又はビッグゲーム上がり役表示部３２に表示された役）と同一の和了役（上がり役）が完成すると、権利獲得演出表示プログラムＰ３２２１が、表示装置１４の上がり牌表示部３１に上がり役の説明表示とチャンスゲーム権利成立又はビッグゲーム権利成立の表示とを所定の時間間隔で交互に表示し、遊技者にチャンスゲーム又はビッグゲームの権利が成立したことを知らせる。
【０１２２】
例えばビッグゲームの権利が成立した場合においては、遊技者は、当該ゲーム（権利成立時のゲーム）を含め次回以降の例えば１３ゲームの間の遊技において、アタッカー９を作動させることが可能になる。つまり、ビッグゲームの権利が成立しているゲームでは、自動配牌された後、遊技者は、アタッカー作動通過口１０がアタッカー９の直上方に位置決めされて遊技盤面部２の右側に片寄った状態で配置されたアタッカー９及びアタッカー作動通過口１０に対し、遊技球発射レバー４を操作し、遊技盤面部２の左側からガイドレール８に沿わせて遊技球を打ち出す。この際、遊技球Ｂａが、ビッグゲーム成立により遊技球Ｂａの入球検出が有効になっているアタッカー作動口１０を通過すると、特別遊技制御プログラムＰ１０による入球判定に応じてアタッカー９が開放する。このため、遊技者は、アタッカー９に入球する遊技球Ｂａの各１個に対応して、表示装置１４と対話方式により任意に自由な自摸牌を選択しつつ、完成の可能性や好み等に応じて上がり役を組み立てていく。
【０１２３】
なお、上記した遊技球発射時において、本雀球遊技機１では、遊技盤面部２内でのアタッカー作動通過口１０を狙う方向とアタッカー９を狙う方向とが近接しているので、遊技者が、ビッグゲームの権利を取得した際に、アタッカー作動通過口１０を狙って遊技球を発射することでアタッカー９も同時に狙うことができる。つまり、アタッカー作動通過口１０を通過した遊技球を、該入球に応答して開放したアタッカー９に入球させることもでき、使用する遊技球数を節約することも可能になる。
【０１２４】
一方、例えばチャンスゲームの権利が成立した場合においては、遊技者は、当該ゲーム（権利成立時のゲーム）の遊技において、上記ビッグゲーム時と同様に、アタッカー９を作動させることが可能になる。つまり、例えば１ゲーム中に発射できる遊技球の数である１４球のうち、９球以内でチャンスゲーム役を成立させた場合は、上記アタッカー作動通過口１０とアタッカー９とを１球で狙えることと相俟って、最大５球の遊技球をアタッカー９に入賞させることが可能となる。また、１０球以上でチャンスゲーム役を成立させた場合は、最大でその残り玉数だけアタッカー９に入賞させることが可能となる。
【０１２５】
即ち、チャンスゲームの権利が成立すると、最大で５球の遊技球をアタッカー９に入賞させることができ、５個の自由な自摸牌を得ることができる。これにより、チャンス役５２が成立した１４個の手牌の組合せから最大９個の手牌を残して５個の手牌を自由に交換できる形となるが、上記特別役データテーブルＰ６１より関連付けられて選定されたチャンス役５２とビッグ役５１との関係から（図１０参照）、このチャンス役５２が成立した上がり役の状態からビッグ役５１が成立することはない。これによって、容易にビッグ役５１が成立してしまうことを防ぐことが可能となっている。またこのため、遊技者は、チャンス役５２が成立した上がり役の状態から、例えばドラを増やす、他の役を成立させる、等で高得点を狙うことになる。
【０１２６】
なお、本雀球遊技機１においては、チャンス役が成立し、アタッカー９に遊技球を１球入賞させた段階で、得点を倍にする処理を行うので、単に上がり役を成立させるよりもチャンスゲームを行って上がり役を成立させた方が高得点を狙えるように構成されている。
【０１２７】
ついで、ステップＳ１０の遊技終了処理では、入賞判定プログラムＰ８は、遊技が終了するまでの間に、つまり、残り遊技球数が０になって遊技終了ボタン２３が押下されたとき、或いは遊技開始ボタン２４が押下されたときに、表２の上がり役の組合せが完成していない場合、ゲーム終了の制御コマンドを、サブ制御基板Ｋｂを経由して画像制御基板Ｋｃに送信する。すると、画像制御基板Ｋｃのゲーム演出表示プログラムＰ３２１２が、表示装置１４に「ゲームオーバー」を表示し、遊技者に当該ゲームの終了を知らせる。
【０１２８】
また、上記遊技終了処理では、上がり役の組合せが完成した場合でも、残り遊技球数表示部２７の表示（残り球個数）が「１」以上であるときは、更に自摸牌捨てボタン１７、或いは捨て牌ボタン１６ａ、１６ｂ、１６ｃ、…を操作した際、メイン基板動作制御プログラムＰ１の制御でゲーム継続の制御コマンドを、サブ制御基板Ｋｂを経由して画像制御基板Ｋｃに送信する。これにより、画像制御基板Ｋｃのゲーム演出表示プログラムＰ３２１２が、表示装置１４に表示した上がり役の説明及び獲得した得点の表示を消し、当該ゲームを続行できる状態にする。
【０１２９】
また、上がり役が完成して表示装置１４に上がり役の説明が表示されている場合に、遊技者が遊技終了ボタン２３又は遊技開始ボタン２４を操作した際には、メイン基板動作制御プログラムＰ１が、この入力信号の種類を解読してメダル管理プログラムＰ３を作動させ、ＲＡＭ４２に記憶しているメダル貯留枚数にこのゲームで獲得した得点を加算し、このメダル貯留枚数を、サブ制御基板Ｋｂを経由して画像制御基板Ｋｃに送信する。すると、画像制御基板Ｋｃのゲーム演出表示プログラムＰ３２１２が、メダル貯留枚数表示部２６にこのメダル貯留枚数を表示する。そして、遊技者が遊技終了ボタン２３を操作した後、遊技開始ボタン２４を操作した際には、貯留したメダルの投入動作が自動的に行われ、メイン基板動作制御プログラムＰ１は、次のゲームを行うことができる状態にするために、画面表示の初期化の制御コマンドを、サブ制御基板Ｋｂを経由して画像制御基板Ｋｃに送信する。
【０１３０】
以上説明したステップＳ１からステップＳ１０の処理を繰り返すことにより、連続してゲームを遊技することになる。本雀球遊技機１においては、この連続してゲームを遊技している間、救済条件判定プログラムＰ１４が機能している。
【０１３１】
例えば救済条件判定プログラムＰ１４が上記条件（Ａ）を救済条件として判定する場合は、まず、ゲーム数カウントプログラムＰ１４１が前回のビッグ役５１が成立した後の次のゲーム（特別遊技終了後の次のゲームであってもよい）よりゲーム数のカウントを開始する。ここで、設定ゲーム数再設定手段Ｐ１４２により例えば設定ゲーム数が１００ゲームに設定されていた場合、ここまま例えば１００ゲーム連続してビッグ役５１が成立しないと、該ゲーム数カウントプログラムＰ１４１によるカウントが１００ゲームとなり、救済条件判定プログラムＰ１４が救済条件の成立を判定する。
【０１３２】
すると、救済制御プログラムＰ１５が救済時特別役選定指令プログラムＰ１５１又は救済時配牌指令プログラムＰ１５２の起動を選択し、例えば救済時特別役選定指令プログラムＰ１５１の起動を選択すると、次のゲームにおける特別遊技役等決定処理Ｓ５において、該救済時特別役選定指令プログラムＰ１５１が、特別役選定プログラムＰ６に指令を行い、それを受けて該特別役選定プログラムＰ６が特別役データテーブルＰ６１の中から強制的にテーブルＴｂ７（図１０参照）を選択して、ビッグ役５１が「門前清自摸」に選定される。これにより、遊技者は、単に手牌図柄を揃えるだけで容易に成立させることが可能となり、つまりビッグゲームの権利を容易に得ることができる。
【０１３３】
また、救済制御プログラムＰ１５が救済時配牌指令プログラムＰ１５２の起動を選択した際は、例えば次のゲームにおける特別遊技役等決定処理Ｓ５において特別役選定プログラムＰ６が特別役データテーブルＰ６１の中からビッグ役５１を選定した後、救済時配牌指令プログラムＰ１５２が再び配牌の選定を行って、選定されたビッグ役５１を１個だけ異なる配牌を選定する。これにより、遊技者は、そのビック役５１を成立するために必要な１つの牌に対応する入球口１１を例えば１４球の打ち出しの間に狙って入球させ、その１個だけ異なる牌を交換するだけで、容易にビッグ役５１を成立させることが可能となり、つまりビッグゲームの権利を容易に得ることができる。
【０１３４】
また同様に、例えば救済条件判定プログラムＰ１４が上記条件（Ｂ）を救済条件として判定する場合は、ゲーム数カウントプログラムＰ１４１が前回のビッグ役５１又は和了りが成立した後の次のゲームよりゲーム数のカウントを行っており、ここで、設定ゲーム数再設定手段Ｐ１４２により例えば設定ゲーム数が５０ゲームに設定されていた場合、例えば５０ゲーム連続して何ら和了りが成立しないと、救済条件判定プログラムＰ１４が救済条件の成立を判定する。そして同様に、救済制御プログラムＰ１５によって、ビッグ役５１が「門前清自摸」に選定されたり、ビッグ役５１が成立し易い配牌が行われたりして、遊技者は、ビッグゲームの権利を容易に得ることができる。
【０１３５】
更に同様に、例えば救済条件判定プログラムＰ１４が上記条件（Ｃ）を救済条件として判定する場合は、ゲーム数カウントプログラムＰ１４１が前回のビッグ役５１又は４点以上の和了りが成立した後の次のゲームよりゲーム数のカウントを行っており、例えば７５ゲーム連続して何ら４点以上の和了りが成立しないと、救済条件判定プログラムＰ１４が救済条件の成立を判定する。そして同様に、救済制御プログラムＰ１５によって、ビッグ役５１が「門前清自摸」に選定されたり、ビッグ役５１が成立し易い配牌が行われたりして、遊技者は、ビッグゲームの権利を容易に得ることができる。
【０１３６】
このようにビッグゲームの権利を得て、ビッグゲームの１３ゲーム（当初ビッグ役５１の成立ゲームを含めて１４ゲーム）を終了すると、救済条件判定手段Ｐ１４が救済条件を（Ａ）乃至（Ｃ）の中から選択すると共に、設定ゲーム数再設定手段Ｐ１４２が設定ゲーム数を抽選して再設定を行う。そして、次の救済条件が成立するまで、通常通りの雀球遊技が行われる。
【０１３７】
また、設定ゲーム数再設定手段Ｐ１４２が設定ゲーム数として、例えば少ないゲーム数（例えば１〜１０ゲーム等）を抽選した場合は、直ぐに救済条件判定プログラムＰ１４により救済条件の成立が判定されるので、遊技者は、直ぐにビッグゲームの権利を得ることが可能となる。これにより、遊技者に、あたかもビッグゲームが連続当選したかのような印象を与えることができる。
【０１３８】
なお、この設定ゲーム数再設定手段Ｐ１４２による設定ゲーム数の再設定は、それまでのビッグ役５１の成立状態（過去の統計情報）に基づき、重み付けを付加する形で設定してもよく、また、これらに限らず、再設定のやり方は、どのように処理するようにしてもよい。
【０１３９】
また、本実施の形態においては、ビッグ役５１が容易に成立する上がり役として「門前清自摸」に選定されるものを一例に説明したが、これに限らず、例えば「平和」「断公九」等であってもよく、更に例えば「ドラを１つ以上含む」等、一般的な麻雀遊技にあっては架空の上がり役をビッグ役５１として設定するようにしてもよい。
【０１４０】
以上説明したように本発明に係る雀球遊技機１によると、救済条件判定プログラムＰ１４が、連続した設定ゲーム数の間における上がり役の成立状態に基づく救済条件が成立したことを判定し、救済制御プログラムＰ１５が、救済条件判定プログラムＰ１４により救済条件の成立が判定された際に、ビッグ役５１が容易に成立するように制御するので、救済条件が成立した際に、ビッグ役５１を容易に成立させることができるようになって、特に遊技経験の少ない遊技者であっても、救済的に遊技メダルの獲得が可能となり、獲得した遊技メダルにより遊技経験を増すことができると共に遊技経験が少ないうちに興味を失ってしまうことの防止を図ることができる。
【０１４１】
また、救済時特別役選定指令プログラムＰ１５１が、救済条件判定プログラムＰ１４により救済条件の成立が判定された際に、特別役選定プログラムＰ６に、ビッグ役５１として容易に成立する上がり役を選定するように指令するので、救済条件が成立した際に、ビッグ役５１を容易に成立させることを可能にすることができる。
【０１４２】
更に、救済時配牌指令プログラムＰ１５２が、救済条件判定プログラムＰ１４により救済条件の成立が判定された際に、自動配牌プログラムＰ５に、ビッグ役５１が容易に成立する配牌を選定するように指令するので、救済条件が成立した際に、ビッグ役５１を容易に成立させることを可能にすることができる。
【０１４３】
また、救済条件として条件（Ａ）を判定することで、連続した設定ゲーム数の間、ビッグ役５１が非成立であると、救済条件が成立してビッグ役５１を容易に成立させることが可能となる。これにより、設定ゲーム数の間にビッグゲームが得られずに費やした遊技メダルを、救済的にある程度補うことが可能となり、獲得した遊技メダルにより遊技経験を増すことができると共に遊技経験が少ないうちに興味を失ってしまうことの防止を図ることができる。
【０１４４】
また、救済条件として条件（Ｂ）を判定することで、連続した設定ゲーム数の間、上がり役が非成立であると、救済条件が成立してビッグ役５１を容易に成立させることが可能となる。これにより、例えば何ら遊技メダルを得ることのできない設定ゲーム数の間に費やした遊技メダルを、救済的にある程度補うことが可能となり、獲得した遊技メダルにより遊技経験を増すことができると共に遊技経験が少ないうちに興味を失ってしまうことの防止を図ることができる。
【０１４５】
また、救済条件として条件（Ｃ）を判定することで、連続した設定ゲーム数の間、各ゲームの得点が３点以下であると、救済条件が成立してビッグ役５１を容易に成立させることが可能となる。これにより、例えば遊技メダルを僅かしか得ることのできない設定ゲーム数の間に費やした遊技メダルを、救済的にある程度補うことが可能となり、獲得した遊技メダルにより遊技経験を増すことができると共に遊技経験が少ないうちに興味を失ってしまうことの防止を図ることができる。
【０１４６】
更に、設定ゲーム数再設定プログラムＰ１５２が、ビッグ役５１の成立に基づくビッグゲームが終了した際に、設定ゲーム数のゲーム数を再設定するので、次の救済条件が成立するまでのゲーム数を上記ビッグゲームの終了毎に変更することが可能となる。これにより、例えば連続的に救済条件が成立するように設定することも可能となり、遊技性の向上を図ることができる。
【０１４７】
以上、本発明をその好適な実施の形態に基づいて説明したが、本発明の雀球遊技機は、上記実施形態の構成にのみ限定されるものではなく、上記実施形態の構成から種々の修正及び変更を施した雀球遊技機も、本発明の範囲に含まれる。
【図面の簡単な説明】
【０１４８】
【図１】本発明に係る実施形態における雀球遊技機を示す正面図である。
【図２】図１における遊技盤面部を抜粋して示す正面図である。
【図３】図１における操作パネルの構成を示す正面図である。
【図４】図１における表示装置に表示する画面例を説明するための図である。
【図５】本雀球遊技機の動作を制御する制御基板の構成例を示す図である。
【図６】図５に示すメイン制御基板に搭載されているプログラムの構成例を示す図である。
【図７】図５に示すサブ制御基板に搭載されているプログラムの構成例を示す図である。
【図８】図５に示す画像制御基板に搭載されているプログラムの構成例を示す図である。
【図９】本実施形態における作用を示すフローチャートである。
【図１０】特別役データテーブルの一例を示す図である。
【符号の説明】
【０１４９】
１    雀球遊技機
２    遊技盤面部
４    打出操作手段（遊技球発射レバー）
９    特別入賞口（アタッカー）
１１    入球口
１４    手牌表示手段（表示装置）
５０    特別役
５１    特別継続役（ビッグ役）
Ｐ６    特別役選定手段（特別役選定プログラム）
Ｐ１０    特別遊技制御手段（特別遊技制御プログラム）
Ｐ１１    特別遊技継続制御手段（特別遊技継続制御プログラム）
Ｐ８１    特別役成立判定手段（特別役成立判定プログラム）
Ｐ８２    特別継続役成立判定手段（特別継続役成立判定プログラム）
Ｐ１４    救済条件判定手段（救済条件判定プログラム）
Ｐ１４２    設定ゲーム数再設定手段（設定ゲーム数再設定プログラム）
Ｐ１５    救済制御手段（救済制御プログラム）
Ｐ１５１    救済時特別役選定指令手段（救済時特別役選定指令プログラム）
Ｐ１５２    救済時配牌指令手段（救済時配牌指令プログラム）
Ｂａ    遊技球
【図１】
2007117104.tif 000005
【図２】
2007117104.tif 000006
【図３】
2007117104.tif 000007
【図４】
2007117104.tif 000008
【図５】
2007117104.tif 000009
【図６】
2007117104.tif 000010
【図７】
2007117104.tif 000011
【図８】
2007117104.tif 000012
【図９】
2007117104.tif 000013
【図１０】
2007117104.tif 000014